(57)【要約】【課題】  離れた別々の部屋に居ながら仮想的に同一の空間を共有しつつ、コミュニケーションを行うことができる空間共有システムを提供することを目的とする。【解決手段】  部屋２の壁体４によって形成された内部空間５を撮影領域に含むとともに、壁体４の内面８ａ側から内部空間５を撮影する撮影手段１６と、撮影手段１６によって撮影された映像のデータを他の部屋３に送信可能、かつ、他の部屋３の撮影手段１９によって撮影された映像のデータを受信可能な通信手段１８と、他の部屋３の撮影手段１９によって撮影された映像のデータに基づいて映像を壁体４の内面８ａと同一面上に表示する表示手段２２とを備えたことを特徴とする空間共有システム１ａ。【選択図】図１
2014064217.tif 000002
【特許請求の範囲】
【請求項１】
離れた複数の部屋にそれぞれ用いられる空間共有システムであって、
前記部屋の壁体によって形成された内部空間を撮影領域に含むとともに、前記壁体の内面側から前記内部空間を撮影する撮影手段と、
前記内部空間の音声を集める集音手段と、
前記撮影手段によって撮影された映像のデータ、及び前記集音手段によって集められた音声のデータを他の部屋に送信可能、かつ、前記他の部屋の撮影手段によって撮影された映像のデータ、及び前記他の部屋の集音手段によって集められた音声のデータを受信可能な通信手段と、
前記他の部屋の撮影手段によって撮影された映像のデータに基づいて映像を前記壁体の前記内面と同一面上に表示する表示手段と、
前記他の部屋の集音手段によって集められた音声のデータに基づいて音声を前記内部空間内に発する発音手段とを備えたことを特徴とする空間共有システム。
【請求項２】
前記撮影手段は、前記内部空間において前記内面の幅方向の略中央に設置されたテーブルを前記撮影領域において前記内面の幅方向の略中央に含むことを特徴とする請求項１に記載の空間共有システム。
【請求項３】
壁体によって内部空間がそれぞれ形成された部屋を備えた住宅であって、
請求項１又は２に記載の空間共有システムが前記部屋に用いられることを特徴とする住宅。
【請求項４】
壁体によって内部空間がそれぞれ形成された第１部屋及び第２部屋を備えた住宅展示場施設であって、
請求項１又は２に記載の空間共有システムが前記第１部屋及び第２部屋にそれぞれ用いられることを特徴とする住宅展示場施設。
【発明の詳細な説明】
【技術分野】
【０００１】
本発明は、空間共有システム並びに当該空間共有システムが用いられる住宅及び住宅展示場施設に関する。
【背景技術】
【０００２】
従来、住宅用インターホンシステムにおいて、一方の世帯の子機から映像及び音声を他方の世帯の親機に転送し、転送先の親機において、モニタで映像を出力するとともに、スピーカから音声を出力することが開示されている（例えば、特許文献１）。
【先行技術文献】
【特許文献】
【０００３】
【特許文献１】特開２００６−１０１１９７号公報
【発明の概要】
【発明が解決しようとする課題】
【０００４】
しかしながら、上記住宅用インターホンシステムでは、子機及び親機が、各世帯の玄関に設置されるものであり、離れた別々の部屋に居ながら仮想的に同一の空間を共有しつつ、映像及び音声によるコミュニケーションを行うことができない。
【０００５】
本発明は、上記のような課題に鑑みてなされたものであり、離れた別々の部屋に居ながら仮想的に同一の空間を共有しつつ、映像及び音声によるコミュニケーションを行うことができる空間共有システム並びに当該空間共有システムが用いられる住宅及び住宅展示場施設を提供することを目的とする。
【課題を解決するための手段】
【０００６】
上記目的を達成するために、第１の発明に係る空間共有システムは、離れた複数の部屋にそれぞれ用いられる空間共有システムであって、前記部屋の壁体によって形成された内部空間を撮影領域に含むとともに、前記壁体の内面側から前記内部空間を撮影する撮影手段と、前記内部空間の音声を集める集音手段と、前記撮影手段によって撮影された映像のデータ、及び前記集音手段によって集められた音声のデータを他の部屋に送信可能、かつ、前記他の部屋の撮影手段によって撮影された映像のデータ、及び前記他の部屋の集音手段によって集められた音声のデータを受信可能な通信手段と、前記他の部屋の撮影手段によって撮影された映像のデータに基づいて映像を前記壁体の前記内面と同一面上に表示する表示手段と、前記他の部屋の集音手段によって集められた音声のデータに基づいて音声を前記内部空間内に発する発音手段とを備えたことを特徴としている。
【０００７】
第２の発明に係る空間共有システムは、上記構成に加え、前記撮影手段は、前記内部空間において前記内面の幅方向の略中央に設置されたテーブルを前記撮影領域において前記内面の幅方向の略中央に含むことを特徴としている。
【０００８】
第３の発明に係る住宅は、壁体によって内部空間がそれぞれ形成された部屋を備えた住宅であって、第１の発明又は第２の発明の空間共有システムが前記部屋に用いられることを特徴としている。
【０００９】
第４の発明に係る住宅展示場施設は、壁体によって内部空間がそれぞれ形成された第１部屋及び第２部屋を備えた住宅展示場施設であって、第１の発明又は第２の発明の空間共有システムが前記第１部屋及び第２部屋にそれぞれ用いられることを特徴としている。
【発明の効果】
【００１０】
第１の発明に係る空間共有システムによれば、前記撮影手段が、前記壁体の内面側から前記内部空間を撮影し、前記表示手段が、前記他の部屋の撮影手段によって撮影された映像のデータに基づいて映像を前記壁体の前記内面と同一面上に表示するものである。このような構成により、複数の部屋のうちの一の部屋において、他の部屋の壁体の内面から見た内部空間の映像を前記一の部屋の前記壁体の前記内面に表示することができるため、前記一の部屋が、当該一の部屋の前記内面の位置において前記他の部屋と繋がっているような感覚を得ることができる。このため、離れた別々の部屋に居ながら仮想的に同一の空間を共有しつつ、映像及び音声によるコミュニケーションを行うことができる。
【００１１】
第２の発明に係る住宅によれば、前記内部空間において前記内面の幅方向の略中央に設置されたテーブルを前記撮影領域において前記内面の幅方向の略中央に含んでいる。このような構成により、複数の部屋のうちの一の部屋において、他の部屋内のテーブルを略中央に含む映像を同様にテーブルが中央に設置されている一方の部屋の壁体の内面に表示することができるため、一方の部屋内に居るユーザーが、他方の部屋内に居るユーザーとテーブルを共有しているような感覚を得ることができる。
【００１２】
第３の発明に係る住宅によれば、当該住宅が、壁体によって内部空間がそれぞれ形成された部屋を備え、第１の発明又は第２の発明の空間共有システムが前記部屋にそれぞれ用いられる。このような構成により、第１の発明と同様に、離れた別々の部屋に居ながら仮想的に同一の空間を共有しつつ、映像及び音声によるコミュニケーションを行うことができる。
【００１３】
第４の発明に係る住宅展示場施設によれば、当該住宅展示場施設が、壁体によって内部空間がそれぞれ形成された第１部屋及び第２部屋を備え、第１の発明又は第２の発明の空間共有システムが前記第１部屋及び第２部屋にそれぞれ用いられる。このような構成により、第１の発明と同様に、離れた別々の部屋に居ながら仮想的に同一の空間を共有しつつ、映像及び音声によるコミュニケーションを行うことができる。
【図面の簡単な説明】
【００１４】
【図１】本発明に係る空間共有システム１ａ及び１ｂの一例を示す概略図である。
【図２】本発明に係る空間共有システム１ａが用いられる第１部屋２の一例を示す概略図である。
【発明を実施するための形態】
【００１５】
本発明に係る空間共有システムの実施の形態について、図面を参照しつつ説明する。図１に示すように、本発明に係る空間共有システム１ａ及び１ｂは、壁体４によって内部空間５が形成された第１部屋２、及び壁体６によって内部空間７が形成された第２部屋３にそれぞれ用いられている。第１部屋２と第２部屋３とは、例えば、別々の建物内に存在する互いに離れた部屋であるか、又は同一の建物内に存在する互いに離れた部屋である。
【００１６】
壁体４は、第１部屋２の側部外周を規定している側壁であり、略平面状の複数の内面８ａ，８ｂ，８ｃ，８ｄを形成している。同様に、壁体６は、第２部屋３の側部外周を規定している側壁であり、略平面状の複数の内面９ａ，９ｂ，９ｃ，９ｄを形成している。
【００１７】
第１部屋２には、内部空間５において内面８ａの幅方向の略中央にテーブル１０が設置され、当該テーブル１０を挟んで椅子１１ａ，１１ｂが互いに対向して設置されている。同様に、第２部屋３にも、内部空間７において内面９ａの幅方向の略中央にテーブル１２が設置され、当該テーブル１２を挟んで椅子１３ａ，１３ｂが互いに対向して設置されている。各テーブル１０，１２は、平板状の天板１４，１５をそれぞれ有し、当該天板１４，１５の各一端面が壁体４，６の内面８ａ，９ａにそれぞれ当接するか、又は近接して設置されるとともに、当該天板１４，１５が壁体４，６の内面８ａ，９ａから略垂直方向にそれぞれ向けられて設置されている。ここでは、第１部屋２の椅子１１ａにユーザー２６，２７が座っており、椅子１１ｂにユーザー２８が座っている。また、第２部屋３の椅子１３ａにユーザー２９が座っており、椅子１３ｂにユーザー３０が座っている。
【００１８】
空間共有システム１ａは、壁体４の内面８ａから内部空間５を撮影するための撮影手段１６と、内部空間５において発せられた音声を集める集音手段１７と、撮影手段１６によって撮影された映像のデータ、及び集音手段１７によって集められた音声のデータを第２部屋３の空間共有システム１ｂに送信可能な通信手段１８とを備えている。同様に、空間共有システム１ｂは、壁体６の内面９ａから内部空間７を撮影するための撮影手段１９と、内部空間７において発せられた音声を集める集音手段２０と、撮影手段１９によって撮影された映像のデータ、及び集音手段２０によって集められた音声のデータを第１部屋２の空間共有システム１ａに送信可能な通信手段２１とを備えている。
【００１９】
各撮影手段１６，１９は、動画を撮影可能であるとともに、撮影した動画を撮像素子等によってデータ化可能な撮影装置である。各撮影手段１６，１９は、壁体４，６の内面８ａ，９ａ上にそれぞれ固定され、第１部屋２及び第２部屋３の内側にそれぞれ向けられており、壁体４，６の内面８ａ，９ａ側から内部空間４，６をそれぞれ撮影可能に構成されている。また、各撮影手段１６及び１９は、内部空間５及び７、テーブル１０及び１２、並びに当該テーブル１０及び１２の両脇に設置された椅子１１ａ，１１ｂ及び１３ａ，１３ｂを被写体として撮影領域にそれぞれ含めることが可能であり、当該被写体を撮影領域に含めることができる角度及び位置にそれぞれ調整されている。また、各撮影手段１６及び１９は、内部空間５，７において内面８ａ，９ａの幅方向の略中央にそれぞれ設置されたテーブル１０，１２を撮影領域において内面８ａ，９ａの幅方向の略中央に含むに含めることができる角度及び位置にそれぞれ調整されていても良い。ここでは、各撮影手段１６，１９はＣＣＤカメラである。なお、各撮影手段１６，１９は、小型の撮影装置であることが望ましい。
【００２０】
各集音手段１７，２０は、音声を収集可能であるとともに、収集した音声をＡ／Ｄ変換回路等によってデータ化可能な集音装置である。各集音手段１７，２０は、壁体４，６の内面８ａ，９ａ上にそれぞれ固定され、第１部屋２及び第２部屋３の内側にそれぞれ向けられている。ここでは、各集音手段１７，２０はマイクロホンである。なお、集音手段は、小型の集音装置であることが望ましい。
【００２１】
各通信手段１８，２１は、互いにデータを送受信可能な通信装置であり、第１部屋２及び第２部屋３においてテーブル１０，１２上、椅子１１ａ，１１ｂ，１３ａ，１３ｂ上等の任意の場所に設置される。各通信手段１８，２１は、無線、有線又はこれらの組合せからなる通信ネットワーク３１を介して互いに音声及び映像のデータを送受信可能である。また、通信ネットワーク３１は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット又はこれらの組合せからなるネットワークである。各通信手段１８，２１は、例えば、通信機能を備えたパーソナルコンピュータである。
【００２２】
空間共有システム１ａの通信手段１８は、撮影手段１６に電気的に接続されており、撮影手段１６から映像のデータを受け取り、空間共有システム１ｂの通信手段２１に送信可能である一方、当該通信手段２１から映像のデータを受信可能である。また、空間共有システム１ａの通信手段１８は、集音手段１７に電気的に接続されており、集音手段１７から音声のデータを受け取り、空間共有システム１ｂの通信手段２１に送信可能である一方、当該通信手段２１から音声のデータを受信可能である。同様に、空間共有システム１ｂの通信手段２１は、撮影手段１９及び集音手段２０に電気的に接続されており、これらの撮影手段１９及び集音手段２０からの映像及び音声のデータを受け取るとともに、空間共有システム１ａの通信手段１８との間で映像のデータ及び音声のデータの送受信が可能である。
【００２３】
さらに、空間共有システム１ａは、空間共有システム１ｂの撮影手段１９によって撮影された映像のデータに基づいて映像を壁体４の内面８ａに表示する表示手段２２と、空間共有システム１ｂの集音手段２０によって集められた音声のデータに基づいて音声を第１部屋２の内部空間５内に発する発音手段２３とを有している。同様に、空間共有システム１ｂも、空間共有システム１ａの撮影手段１６によって撮影された映像のデータに基づいて映像を壁体６の内面９ａに表示する表示手段２４と、空間共有システム１ａの集音手段１７によって集められた音声のデータに基づいて音声を第２部屋３の内部空間７内に発する発音手段２５とを有している。
【００２４】
空間共有システム１ａの表示手段２２は、通信手段１８に電気的に接続されており、通信手段１８から第２部屋３の映像のデータを受け取るとともに、壁体４の内面８ａに当該映像のデータに基づく映像を表示可能な表示装置である。同様に、空間共有システム１ｂの表示手段２４は、通信手段２１に電気的に接続されており、通信手段２１から第１部屋２の映像のデータを受け取るとともに、壁体６の内面９ａに当該映像のデータに基づく映像を表示可能な表示装置である。ここでは、各表示手段２２，２４は、各壁体４，６の各内面８ａ，９ａに対向している内面８ｄ，９ｄの近傍において第１部屋２及び第２部屋３の天井にそれぞれ固定されており、各内面８ａ，９ａにそれぞれ向けられ、各内面８ａ，９ａに対して投射可能なプロジェクタであり、矩形状の投射の範囲Ａ，Ｂの下端が各テーブル１０，１２の天板１４，１５の高さと略等しい高さになるように角度及び位置がそれぞれ調整されている。
【００２５】
空間共有システム１ａの発音手段２３は、通信手段１８に電気的に接続されており、通信手段１８から第２部屋３の音声のデータを受け取るとともに、内部空間５内に当該音声のデータに基づく音声を発音可能な発音装置である。同様に、空間共有システム１ｂの発音手段２５は、通信手段２１に電気的に接続されており、通信手段２１から第１部屋２の音声のデータを受け取るとともに、内部空間７内に当該音声のデータに基づく音声を発音可能な発音装置である。各発音手段２３，２５は、第１部屋２及び第２部屋３の内面８ａ〜８ｄのうちのいずれかの内面及び内面９ａ〜９ｄのうちのいずれかの内面にそれぞれ固定されるか、又は内面８ａ〜８ｄのうちのいずれかの内面及び内面９ａ〜９ｄのうちのいずれかの内面の近傍にそれぞれ設置され、第１部屋２及び第２部屋３の内側に向かって音声を発音可能に配向されている。ここでは、各発音手段２３，２５は、スピーカーである。
【００２６】
本実施の形態による空間共有システム１ａ及び１ｂでは、空間共有システム１ａの撮影手段１６が、壁体４の内面８ａに取り付けられており、空間共有システム１ａの表示手段２２が、空間共有システム１ｂの撮影手段１９によって撮影された映像のデータに基づいて、映像を、撮影手段１６が取り付けられている壁体４の内面８ａに表示するものである。同様に、空間共有システム１ｂの撮影手段１９が、壁体６の内面９ａに取り付けられており、空間共有システム１ｂの表示手段２４が、空間共有システム１ａの撮影手段１６によって撮影された映像のデータに基づいて、映像を、撮影手段１９が取り付けられている壁体６の内面９ａに表示するものである。このような構成により、第１部屋２において、第２部屋３の内部空間７の映像を第１部屋２の壁体４の内面８ａに表示することができ、第２部屋３において、第１部屋２の内部空間５の映像を第２部屋３の壁体６の内面９ａに表示することができる。このため、ユーザー２６〜２８は、第１部屋２が、第２部屋３と内面８ａの位置において繋がっているような感覚を得ることができ、また、ユーザー２９，３０は、第２部屋３が、第１部屋２と内面９ａの位置において繋がっているような感覚を得ることができる。このため、離れた別々の部屋に居ながら仮想的に同一の空間を共有しつつ、映像及び音声によるコミュニケーションを行うことができる。
【００２７】
また、第１部屋２及び第２部屋３は、各内部空間５，７の略中央にテーブル１０，１２がそれぞれ設置されており、これらの第１部屋２及び第２部屋３の撮影手段１６，１９は、テーブル１０，１２を撮影領域の略中央にそれぞれ含んでいる。このような構成により、第１部屋２において、第２部屋３内のテーブル１２を略中央に含む映像を第１部屋の壁体４の内面８ａに表示することができ、第２部屋３において、第１部屋２内のテーブル１０を略中央に含む映像を第２部屋の壁体６の内面９ａに表示することができる。このため、第１部屋２内に居るユーザー２６〜２８が、第２部屋３内に居るユーザー２９，３０とテーブルを共有しているような感覚を得るとともに、第２部屋３内に居るユーザー２９，３０も、第１部屋２内に居るユーザー２６〜２８とテーブルを共有しているような感覚を得ることができる。
【００２８】
さらに、上記構成に加え、空間共有システム１ａ及び１ｂは、当該各空間共有システム１ａ及び１ｂの各撮影手段１６，１９が、空間共有システム１ａ及び１ｂの各表示手段２２，２４が映像を表示する各範囲Ａ，Ｂ内において各内面８ａ，９ａにそれぞれ取り付けられるものであっても良い。このような構成により、第１部屋２内及び第２部屋３内に居る各ユーザー２６〜２８及び２９，３０が各椅子１１ａ，１１ｂ及び１３ａ，１３ｂに座る等して映像を見る場合に、これらのユーザー２６〜２８及び２９，３０の顔の高さと略等しい高さに各撮影手段１６，１９がそれぞれ取り付けられており、ユーザー２６〜２８及び２９，３０の顔を各撮影手段１６，１９の撮影範囲にそれぞれ収め易くすることができる。
【００２９】
さらに、上記構成に加え、空間共有システム１ａ及び１ｂは、当該各空間共有システム１ａ及び１ｂの各集音手段１７，２０が、第１部屋２及び第２部屋３の各表示手段２２，２４が映像を表示する各範囲Ａ，Ｂ内において各内面８ａ，９ａにそれぞれ取り付けられるものであっても良い。このような構成により、第１部屋２内及び第２部屋３内に居るユーザー２６〜２８及び２９，３０が各椅子１１ａ，１１ｂ及び１３ａ，１３ｂに座る等して映像を見る場合に、これらのユーザー２６〜２８及び２９，３０の顔の高さと略等しい高さに集音手段１７，２０がそれぞれ取り付けられており、ユーザー２６〜２８及び２９，３０が発した声を集音手段１７，２０にそれぞれ集音させ易くすることができる。
【００３０】
さらに、上記空間共有システム１ａ及び１ｂは、壁体４，６によって内部空間５，７がそれぞれ形成された第１部屋２及び第２部屋３を備えた住宅の当該第１部屋及び第２部屋にそれぞれ用いられるものであっても良い。特に、当該住宅が、子世帯と親世帯とが同居する二世帯住宅であり、子世帯の居住空間にはダイニングルームとしての第１部屋２が含まれる一方、親世帯の居住空間にはダイニングルームとしての第２部屋３が含まれるものであっても良い。これにより、上記子世帯と上記親世帯とが、離れた別々の部屋に居ながら仮想的にダイニングルームとしての同一の空間を共有しつつ、映像及び音声によるコミュニケーションを行うことができる。なお、当該住宅では、上記ユーザー２６〜２８及び２９，３０が、当該住宅の居住者等であることはいうまでもない。
【００３１】
さらに、空間共有システム１ａ及び１ｂは、壁体４，６によって内部空間５，７がそれぞれ形成された第１部屋２及び第２部屋３を備えた住宅展示場施設の当該第１部屋及び第２部屋にそれぞれ用いられるものであっても良い。なお、当該住宅展示場施設では、上記ユーザー２６〜２８及び２９，３０が、当該住宅展示場施設を見学するために訪れた見学者等であることはいうまでもない。
【００３２】
なお、上記実施の形態による空間共有システム１ａ及び１ｂでは、各表示手段２２，２４が、第１部屋２及び第２部屋３の天井にそれぞれ固定されたプロジェクタである場合の例について説明したが、本発明はこれに限られるものではない。例えば、各表示手段２２，２４が、表示面を第１部屋２及び第２部屋３の内側にそれぞれ向けられるとともに、各壁体４，６の各内面８ａ，９ａ上に固定された液晶ディスプレイ、有機ＥＬディスプレイ等のディスプレイであっても良いことは勿論である。
【００３３】
また、上記実施の形態による空間共有システム１ａ及び１ｂでは、撮影手段１６，１９が、各壁体４，６の各内面８ａ，９ａ上にそれぞれ固定され、集音手段１７，２０が、各壁体４，６の各内面８ａ，９ａ上にそれぞれ固定された場合の例について説明したが、本発明はこれに限られるものではない。例えば、撮影手段１６，１９が、各壁体４，６の内部における各内面８ａ，９ａの奥部にそれぞれ埋め込まれるとともに、各壁体４，６の各内面８ａ，９ａに撮影用の孔がそれぞれ設けられ、また、集音手段１７，２０が、各壁体４，６の内部である、各内面８ａ，９ａの奥部にそれぞれ埋め込まれるとともに、各壁体４，６の各内面８ａ，９ａに集音用の孔が設けられていても良い。また、各表示手段２２，２４が、上述のように各壁体４，６の各内面８ａ，９ａ上に固定されたディスプレイである場合には、撮影手段１６，１９が、各壁体４，６の内部である、各内面８ａ，９ａの奥部にそれぞれ埋め込まれるとともに、各壁体４，６の各内面８ａ，９ａ及び上記ディスプレイに撮影用の連通孔がそれぞれ設けられ、集音手段２１，２４が、各壁体４，６の内部である、各内面８ａ，９ａの奥部にそれぞれ埋め込まれるとともに、各壁体４，６の各内面８ａ，９ａ及び上記ディスプレイに撮影用の連通孔がそれぞれ設けられていても良い。
【００３４】
なお、本発明の実施形態は上述の形態に限るものではなく、本発明の思想の範囲を逸脱しない範囲で適宜変更することができる。
【産業上の利用可能性】
【００３５】
本発明に係る空間共有システム１ａ及び１ｂ並びに当該空間共有システム１ａ及び１ｂが用いられる住宅及び住宅展示場施設は、離れた複数の部屋間において映像及び音声によるコミュニケーションを行うことができる空間共有システム１ａ及び１ｂ並びに当該空間共有システム１ａ及び１ｂが用いられる住宅及び住宅展示場施設として用いることができる。
【符号の説明】
【００３６】
１ａ，１ｂ              空間共有システム
２                      第１部屋
３                      第２部屋
４，６                  壁体
５，７                  内部空間
８ａ〜８ｄ，９ａ〜９ｄ  内面
１０，１２              テーブル
１６，１９              撮影手段
１７，２０              集音手段
１８，２１              通信手段
２２，２４              表示手段
２３，２５              発音手段
【図１】
2014064217.tif 000003
【図２】
2014064217.tif 000004